(57)【要約】【課題】電力供給部又はその周囲の温度に基づき、シートに対する処理条件を制御できる技術を提供する。【解決手段】シート処理装置は、シートに所定の処理を施すシート処理手段と、シート処理手段に電力を供給する電力供給手段と、電力供給手段又はその周囲の温度を検出する検出手段と、シート処理手段を制御する制御手段と、を備え、制御手段は、検出手段の検出温度に基づいてシート処理手段の処理条件を変更する。【選択図】図１
2015103974.tif 000002
【特許請求の範囲】
【請求項１】
シートに所定の処理を施すシート処理手段と、
前記シート処理手段に電力を供給する電力供給手段と、
前記電力供給手段又はその周囲の温度を検出する検出手段と、
前記シート処理手段を制御する制御手段と、を備え、
前記制御手段は、前記検出手段の検出温度に基づいて前記シート処理手段の処理条件を変更することを特徴とするシート処理装置。
【請求項２】
原稿の画像を読み取る画像読取装置であって、
前記画像読取装置に電力を供給する電力供給手段と、
前記電力供給手段又はその周囲の温度を検出する検出手段と、
前記画像読取装置の所定の状態の時間を計測する計測手段と、
前記検出手段が検出した温度を前記計測手段が計測した所定の状態の時間に応じて補正し、補正後の温度に基づき前記画像読取装置の読取処理を制御する制御手段と、
を備えていることを特徴とする画像読取装置。
【請求項３】
前記制御手段は、前記計測手段が計測した所定の状態の時間に応じて前記検出手段が検出した温度の補正が必要かを判定し、必要と判定すると、補正後の温度に基づき前記画像読取装置の読取処理を制御し、必要ではないと判定すると、前記検出手段が検出した温度に基づき前記画像読取装置の読取処理を制御することを特徴とする請求項２に記載の画像読取装置。
【請求項４】
前記計測手段が計測する所定の状態の時間は、前記画像読取装置が読取処理を行っている状態の時間である動作時間を含み、
前記制御手段は、前記動作時間が第１閾値を超えていることを、前記検出手段が検出した温度の補正が必要と判定する条件の１つとすることを特徴とする請求項３に記載の画像読取装置。
【請求項５】
前記計測手段が計測する所定の状態の時間は、前記画像読取装置が読取処理を行っていない状態の時間である非動作時間を含み、
前記制御手段は、前記読取処理後の非動作時間が所定の閾値以下であることを、前記検出手段が検出した温度の補正が必要と判定する条件の１つとすることを特徴とする請求項３又は４に記載の画像読取装置。
【請求項６】
前記非動作時間は、前記読取処理の開始を待っている状態の時間である待機時間と、前記画像読取装置の動作が停止している状態の時間である停止時間を含み、
前記制御手段は、前記読取処理後の前記待機時間及び前記停止時間がそれぞれ第２閾値及び第３閾値以下であることを、前記検出手段が検出した温度の補正が必要と判定する条件の１つとすることを特徴とすることを特徴とする請求項５に記載の画像読取装置。
【請求項７】
前記制御手段は、前記電力供給手段を充電中であると、前記検出手段が検出した温度の補正が必要であると判定することを特徴とする請求項３から６のいずれか１項に記載の画像読取装置。
【請求項８】
前記制御手段は、前記検出手段が検出した温度又は当該検出した温度を補正した温度が、前記読取処理の制御設定を変更したときの温度から所定値以上変動すると、前記検出手段が検出した温度又は当該検出した温度を補正した温度に基づき前記読取処理の制御設定を変更することを特徴とする請求項３から７のいずれか１項に記載の画像読取装置。
【請求項９】
前記制御手段は、複数の原稿を読み取っている間、前記検出手段が検出した温度又は当該検出した温度を補正した温度が、前記読取処理の制御設定を変更したときの温度から所定値以上変動しているかを監視することを特徴とする請求項８に記載の画像読取装置。
【請求項１０】
前記制御手段は、複数の原稿を読み取っている間、前記検出手段が検出した温度又は当該検出した温度を補正した温度が、前記読取処理の制御設定を変更したときの温度から所定値以上変動すると、前記読取処理の制御設定を変更してからの経過時間に応じて前記読取処理の制御設定を異ならせることを特徴とする請求項９に記載の画像読取装置。
【請求項１１】
前記経過時間が所定時間未満である場合の制御設定は、前記経過時間が当該所定時間以上である場合の制御設定と比較し、前記読取処理の消費電力を低減させることを特徴とする請求項１０に記載の画像読取装置。
【請求項１２】
原稿を搬送する搬送手段と、
前記搬送手段により搬送される原稿の画像を読み取る読取手段と、
をさらに備えており、
温度による前記読取処理の制御対象は、前記読取手段が原稿に向けて照射する光量と、前記読取手段が出力する読み取り済みの画像の画像信号の増幅率及びオフセットと、前記搬送手段のモータのトルクと、前記搬送手段を搬送される原稿を検出するセンサが原稿に向けて照射する信号の内の少なくとも１つを含むことを特徴とする請求項２から１１のいずれか１項に記載の画像読取装置。
【請求項１３】
前記制御手段は、前記検出手段が検出した温度の補正量を、前記読取処理の読取設定により決定することを特徴とする請求項２から１２のいずれか１項に記載の画像読取装置。
【請求項１４】
前記検出した温度の補正量を決定する前記読取処理の読取設定は、解像度の設定と、原稿の両面を読み取るか片面を読み取るかの設定と、白黒モードで読み取るかカラーモードで読み取るかの設定の少なくとも１つを含むことを特徴とする請求項１３に記載の画像読取装置。
【請求項１５】
前記制御手段は、前記検出手段が検出した温度の補正量を制御対象の部材ごとに求め、前記補正量の決定に、前記制御対象の部材と前記電力供給手段の配置位置を使用することを特徴とする請求項１３又は１４に記載の画像読取装置。
【発明の詳細な説明】
【技術分野】
【０００１】
本発明は、シート処理装置の処理制御、又は画像読取装置における読取処理の制御技術に関する。
【背景技術】
【０００２】
例えば、シート材搬送機構を備えた画像読取装置では、温度の変化に拘らず、シート材を正常に搬送し、高品質な画像データを取得するため、温度環境に応じてさまざまな制御を行っている。特許文献１は、温度を測定し、測定した温度によりシェーディング補正用のデータを算出することを開示している。また、低温環境下では、シート材を分離するためのローラの摩擦力が低下する。このため、特許文献２は、低温環境下では、シート材の分離を行うためのモータのトルクを大きくすることを開示している。また、温度変化により、シート材の重送を検出する超音波送信器及び受信器の感度が変化する。このため、特許文献３は、検出温度に応じて、シート材の重送を判断するための閾値を変更することを開示している。
【０００３】
また、特許文献４は、筐体の中に電池パックを搭載したモバイルスキャナを開示している。モバイルスキャナは、例えば、リチウムイオン電池など、充電可能な電池を利用する。リチウムイオン電池等の２次電池を使用する構成において、電池パックを充放電する際には安全性の観点から温度検出が重要である。これは、許容電流以上の電流で充電又は放電を継続すると、バッテリセルや充放電制御スイッチが過剰に発熱するからである。そのため、電池パック内にはサーミスタ等の温度検出用素子が設けられ、バッテリセル等の温度がある閾値を超えた場合、制御部が充電電流又は放電電流を停止させている。さらに、特許文献５は、電池の温度と、電池の温度上昇の影響が少ない部位における温度との差分の時間変化により、充電を制御することを開示している。
【先行技術文献】
【特許文献】
【０００４】
【特許文献１】特開２０１１−１２４８７５号公報
【特許文献２】特開２００１−３１５９８５号公報
【特許文献３】特開２００５−３５０２５３号公報
【特許文献４】特開２００１−３０９０９３号公報
【特許文献５】特開２００４−２４２４５９号公報
【発明の概要】
【発明が解決しようとする課題】
【０００５】
例えば、画像読取装置の読取処理を装置内部の温度に応じて制御するに当たり、電池パック内の温度検出素子を利用すれば、コストダウンを図ることができる。しかしながら、電池パックの充電又は放電の発熱で電池パックの温度が上昇すると、電池パックと、画像読取装置の画像読取部やシート材搬送部との間に温度差が発生する。したがって、電池パック内の温度検出素子が検出する温度を使用して読取処理の制御を行うと、制御対象の部材の温度とは異なる温度に基づき制御が行われることになる。また、モバイルスキャナのような小型の機器においては、画像読取部や、シート材搬送部のモータやセンサ等を電池近傍に配置しなければならず、これら部材が電池の温度上昇の影響を受ける可能性もある。
【０００６】
また、特許文献５のように電池の温度と、電池の温度上昇の影響が少ない部位との差分を検出する回路を使用すると、温度検出に必要な温度検出素子の数が増えてしまい、コストダウンを行うことはできない。
【０００７】
なお、上述した問題は、画像読取装置に限って発生するものではなく、例えば、シートに対して印刷等を行う印刷装置など、シートに対して所定の処理を施すシート処理装置においても同様に発生するおそれがある。
【０００８】
本発明は、電力供給部又はその周囲の温度に基づき、シートに対する処理条件を制御できる技術を提供するものである。
【課題を解決するための手段】
【０００９】
本発明の一側面によると、シートに所定の処理を施すシート処理手段と、前記シート処理手段に電力を供給する電力供給手段と、前記電力供給手段又はその周囲の温度を検出する検出手段と、前記シート処理手段を制御する制御手段と、を備え、前記制御手段は、前記検出手段の検出温度に基づいて前記シート処理手段の処理条件を変更することを特徴とするシート処理装置にある。
【００１０】
また、本発明の一側面によると、原稿の画像を読み取る画像読取装置は、前記画像読取装置に電力を供給する電力供給手段と、前記電力供給手段又はその周囲の温度を検出する検出手段と、前記画像読取装置の所定の状態の時間を計測する計測手段と、前記検出手段が検出した温度を前記計測手段が計測した所定の状態の時間に応じて補正し、補正後の温度に基づき前記画像読取装置の読取処理を制御する制御手段と、を備えていることを特徴とする。
【発明の効果】
【００１１】
本発明によれば、シートに対して所定の処理を施すシート処理手段に電力を供給する電力供給部及びその周辺の温度に基づいてシートの処理条件を変更することにより、電力供給部から発生する熱の影響を受けても、シートに対して均一な又は高品質な処理を実現することができる。
【図面の簡単な説明】
【００１２】
【図１】一実施形態による読取処理のフローチャート。
【図２】一実施形態による温度算出処理のフローチャート。
【図３】一実施形態による読取処理のフローチャート。
【図４】一実施形態による読取処理のフローチャート。
【図５】一実施形態による画像読取装置の制御構成を示すブロック図。
【図６】一実施形態による画像読取装置の構成を示す図。
【発明を実施するための形態】
【００１３】
以下、本発明の例示的な実施形態について図面を参照して説明する。なお、以下の各図においては、実施形態の説明に必要ではない構成要素については図から省略する。また、以下の実施形態は例示であり本発明を限定するものではない。
【００１４】
＜第一実施形態＞
図６は、本実施形態による画像読取装置１の概略的な構成図である。画像読取装置１は、搬送路２を境に、上部ユニット４と下部ユニット３に分けられる。給紙トレイ５に搭載された原稿は、ピックアーム６により押圧され、ピックローラ８により搬送路２へと送り出される。なお、分離パッド９は、給紙トレイ５に接触している原稿のみを搬送路へと送りだすために設けられる。また、積載検出センサ５２２は、給紙トレイ５上の原稿の有無を検出する。ピックローラ８の下流側には、重送検出用の超音波発振素子５３１と超音波センサ５３２が搬送路２を挟む様に設けられている。超音波発振素子５３１から発信された超音波は、搬送路２を搬送される原稿を透過して超音波センサ５３２で受信され、受信信号に基づきシート材の重送が判定される。搬送路２に送り出された原稿は、搬送ローラ１０ａ及び１０ｂにより、画像読取部１２及び１３の対向位置へと搬送され、原稿の各面の画像がそれぞれ画像読取部１２及び１３により読み取られる。なお、位置検出センサ５２１は、画像読取のタイミングを調整するために、搬送路２を搬送される原稿を検出する。画像の読取後、原稿は、排紙ローラ１１ａ及び１１ｂにより装置外へと排出される。本実施形態において、下部ユニット３には、画像読取装置に、その動作のための電力を供給する電力供給部（電力供給手段）である電池パック５９０が配置されている。この電池パック５９０は、画像読取装置内に着脱不可で装着してもよいし、画像読取装置内から着脱可能に装着してもよい。
【００１５】
図５は、本実施形態の画像読取装置１の制御構成を示す図である。主制御部５０１は、ＲＯＭ５０２に格納されたプログラムを実行して各種制御を行う。また、その際、主制御部５０１は、ＲＡＭ５０６を制御のための各データを保存するワークエリアとして使用する。
【００１６】
また、主制御部５０１は、画像読取部１２及び１３の光源の光量の調整や、読取解像度や、読取モード（カラー又は白黒）の制御を行う。なお、ＡＦＥ５０５は、画像読取部１２及び１３の読取センサが読み取った画像信号のオフセット調整と増幅を行い、さらに、デジタル変換等の処理を行う。さらに、主制御部５０１は、位置検出センサ５２１や、積載検出センサ５２２の光源の光量を調整する。さらに、主制御部５０１は、超音波発振素子５３１の発振周波数を制御する。また、主制御部５０１は、搬送ローラ１０ｂ及び排紙ローラ１１ｂを回転駆動する搬送モータ５１８や、ピックローラ８を回転駆動する給紙モータ５１９のトルク設定を行い、回転速度や回転方向を制御する。さらに、主制御部５０１は、充電回路５８２を制御して、電池パック５９０の充電を制御する。また、電池パック５９０内部の温度を検出する温度検出部５９１が、電池パック５９０には設けられており、主制御部５０１は、温度検出部５９１が測定した温度データを取得する。以下、本実施形態では、電池パック５９０内部に温度検出部５９１を設けて電池パック５９０の内部温度を測定した構造例を挙げて説明を行う。しかしながら、温度検出部５９１を電池パック５９０の外部に設け、電池パック５９０の周囲（表面ないしその周辺）の温度を測定する形態であって良い。この場合、温度検出部５９１の配置は、例えば、電池パック５９０と画像読取部１３との間とするのが好ましく、更に、画像読取部１３のうち電池パック５９０側の端部（表面部）又はその近くに温度検出部５９１を配置するのが好ましい。これは、実際に画像読取部１３に対して伝わる電池パック５９０の放熱温度を測定することで、高精度な画像読取処理のための制御を実現することができるからである。なお、電源ボタン５９６は、画像読取装置の電源オン／オフを切り替えるためのボタンである。
【００１７】
続いて、本実施形態における読取処理について図１のフローチャートを用いて説明する。画像読取装置にユーザが電池パック５９０をセットすると、主制御部５０１へ電源が供給される。主制御部５０１は、電源が供給されると、Ｓ１０で、停止状態の時間計測を開始し、Ｓ１１で温度算出処理を行う。なお、温度算出処理の詳細は後述する。ここで、停止状態とは、画像読取装置の動作が停止している状態、つまり、原稿の画像の読取処理を行うことができない状態であり、停止状態で計測した時間を、以後、停止時間と呼ぶものとする。その後、Ｓ１２で、主制御部５０１は、ユーザが電源ボタン５９６を押下して、画像読取装置１への電源投入を行ったかを判定し、電源が投入されるまで、Ｓ１１からの処理を繰り返す。ユーザが電源を投入すると、Ｓ１３で、主制御部５０１は停止時間の計測を停止し、待機状態の時間計測を開始し、画像読取装置の起動処理を行う。なお、待機状態とは、読取処理は可能であるが、読取処理を待っている状態であり、待機状態で計測した時間を、以後、待機時間と呼ぶものとする。また、起動処理とは、ＡＦＥ５０５等の周辺回路への電源供給や、画像読取部１２、１３等の初期設定等、読取処理を可能とするために必要な制御設定等を行う処理である。主制御部５０１は、Ｓ１４で、ユーザが電源ボタン５９６を押下して、画像読取装置１の電源をオフにしたかを判定する。ユーザが画像読取装置１の電源をオフにした場合、主制御部５０１は、画像読取装置１の周辺回路への電源の供給を停止し、待機時間の計測を停止し、Ｓ１０からの処理を繰り返す。
【００１８】
一方、Ｓ１４で、電源オフが行われていないと、主制御部５０１は、Ｓ１６で温度算出処理を行う。なお、温度算出処理の詳細は後述する。その後、Ｓ１７で、主制御部５０１は、Ｓ１６での算出温度が、前回の読取処理の制御設定の再調整（Ｓ１８）を行ったときのＳ１６での算出温度から所定値以上変動しているかを判定する。なお、電源投入後、再調整を一度も行っていない場合には、Ｓ１１での算出温度が比較対象となる。ここで、所定値以上変動していると、主制御部５０１は、Ｓ１８で、読取処理のための各制御対象の制御設定を再設定する。例えば、主制御部５０１は、温度変化により出力が変化する画像読取部１２及び１３と、位置検出センサ５２１と、積載検出センサ５２２と、超音波発振素子５３１に対する制御設定を必要に応じて変更する。さらに、主制御部５０１は、シート材搬送部の搬送特性の温度変化による変動を補正するため、給紙モータ５１９、搬送モータ５１８の制御設定を再調整する。
【００１９】
具体的には、画像読取部１２、１３については、画像読取部１２、１３が有する画像読取センサの信号出力が所定値となる様に、画像読取部１２、１３の光源の光量と、ＡＦＥ５０５の増幅率及びオフセットレベルの調整を行う。また、位置検出センサ５２１と積載検出センサ５２２については、信号出力が所定値となる様に照射光量を調整する。超音波発振素子５３１については、温度が上昇するにつれ音速が速くなり出力の減衰が発生する。そのため、温度に拘らず超音波センサ５３２が受信する信号が所定値となる様に、超音波発振素子５３１の発振のタイミング（周波数、周期）の調整を行う。
【００２０】
また、温度が低くなると、分離パッド９の摩擦力が低下する。したがって、摩擦力の低下を補うため、温度が下がるにつれて給紙モータ５１９のトルクを大きくする様に、主制御部５０１は調整する。同様に、搬送ローラ１０ａ及び１０ｂや、排紙ローラ１１ａ及び１１ｂの摩擦力も低下するため、主制御部５０１は、温度に応じて給紙モータ５１９のトルクを調整する。
【００２１】
主制御部５０１は、Ｓ１８の処理を終了後、Ｓ１４からの処理を繰り返す。一方、Ｓ１７で、所定値以上変動していないと、主制御部５０１は、Ｓ１９で読取処理の開始が指示されているかを判定する。指示されていないと、Ｓ１４からの処理を繰り返す。一方、Ｓ１９で読取処理の開始が指示されていると、主制御部５０１は、Ｓ２０で待機時間の計測を停止し、動作状態の時間計測を開始する。なお、動作状態とは、読取処理を行っている状態であり、動作状態で計測した時間を、以後、動作時間と呼ぶものとする。その後、主制御部５０１は、Ｓ２１で給紙トレイ５の原稿を搬送路２上に搬送させ、画像読取部１２及び／又は１３により原稿の画像を読み取る。その後、主制御部５０１は、Ｓ２２で、動作時間の計測を停止し、待機時間の計測を開始し、Ｓ１４からの処理を繰り返す。
【００２２】
続いて、図１のＳ１１やＳ１６における温度算出処理について、図２を用いて説明する。Ｓ３０で、主制御部５０１は、電池パック５９０の温度検出部５９１から、測定した温度を示す測定値データを取得する。Ｓ３１で、主制御部５０１は、電池パック５９０の充電中であるかを判定する。充電中であると、主制御部５０１は、Ｓ４４で、Ｓ３０で取得した測定値データが示す温度から、充電電流によって上昇する温度を減じて補正を行い、補正後の温度データとしてＲＡＭ５０６に保存する。なお、充電電流によって上昇する温度は、予め算出してＲＯＭ５０２に保持させておく。Ｓ３１で、充電中ではないと、主制御部５０１は、Ｓ３２で、画像読取動作を行った動作時間が所定の閾値（第１閾値）を超えているかを判定する。動作時間が所定の閾値を超えていない場合、電池を放電したことで発生する熱量が少ないことから温度補正は行わず、Ｓ３０で取得した測定値データを温度データとしてＲＡＭ５０６に保存して温度算出処理を終了する。
【００２３】
一方、動作時間が所定の閾値を超えていると、主制御部５０１は、Ｓ３３で、待機時間が所定の閾値（第２閾値）を超えているかを判定する。待機状態では、消費電力が少なく、よって、発熱量も少ない。また、待機状態が所定時間経過することで、動作状態で発生した熱の影響も小さくなっている。よって、読取処理後の待機時間が所定の閾値を超えていると、測定値データの補正は不要であるものとし、主制御部５０１は、測定値データを温度データとしてＲＡＭ５０６に保存して温度算出処理を終了する。一方、待機時間が所定の閾値以下であると、主制御部５０１は、Ｓ３４で、停止時間が所定の閾値（第３閾値）を超えているかを判定する。停止状態においては主制御部５０１の一部のみが動作するだけであり、消費電力量は極めて少なく、よって、発熱量も少ない。また、停止状態が所定時間経過することで、動作状態で発生した熱の影響も少なくなっている。よって、停止時間が所定の閾値を超えていると、測定値データの補正は不要であるものとし、主制御部５０１は、測定値データを温度データとしてＲＡＭ５０６に保存して温度算出処理を終了する。なお、本実施形態では、待機時間と動作時間を個別に計測しているが、纏めて非動作時間として計測する形態であっても良い。この場合、読取処理後の非動作時間が所定の閾値より大きければ、測定値データの補正は不要と判定する。
【００２４】
一方、停止時間が所定の閾値以下である場合、主制御部５０１は、Ｓ３５で、測定値データの補正を行う。なお、Ｓ３５での補正は、読取設定の中で消費電力が最も低く、したがって、発熱量が最も少ない、白黒モード、かつ、高解像度（例えば、６００ｄｐｉ）での片面読み取り時の上昇温度に基づき測定値データが示す温度を補正する。なお、この白黒モード、かつ、高解像度での片面読み取り時の上昇温度は、予め調べてＲＯＭ５０２に保持させておく。続いて、主制御部５０１は、Ｓ３６で、読取モードがカラーモードであるかを判定する。カラーモードでは、白黒モードと比較し、読取ライン数の増加や光源点灯色の増加などにより消費電力量が増加する。したがって、カラーモードである場合、主制御部５０１は、Ｓ３７において、Ｓ３５で補正した温度データをさらに、補正する。なお、白黒モードとカラーモードでの温度上昇量の差分は、予め調べてＲＯＭ５０２に保持させておく。
【００２５】
その後、主制御部５０１は、Ｓ３８及び４０にて、それぞれ、原稿読み取りの解像度が低解像度（例えば、３００ｄｐｉ）であるか否かと、両面読み取りであるか否かを判定する。低解像度の読み取りでは、給紙モータ５１９、搬送モータ５１８の速度を速くするため、高解像度の読み取りと比較して消費電力量が増加する。また、両面読み取りでは、２つの画像読取部１２及び１３を同時に動作させるため、片面読み取りと比較して消費電力量が増加する。したがって、主制御部５０１は、低解像度である場合や、両面読み取りである場合には、それぞれ、Ｓ３９及びＳ４１で、温度データの補正を行う。なお、補正量は、低解像度での読み取りの場合には、高解像度での読み取りに対する温度上昇分であり、両面読み取りの場合には、片面読み取りに対する温度上昇分である。これら、温度上昇分についても、予め調べてＲＯＭ５０２に保持させておく。
【００２６】
最後に、主制御部５０１は、制御対象のユニットが、上部ユニット４に配置されたものであるか否かを判定する。本実施形態では、電池パック５９０は下部ユニット３に配置されているため、画像読取部１２等、上部ユニット４に実装されている部材は、電池パック５９０が発生する熱の影響を受け難い。したがって、制御対象のユニットが上部ユニット４に配置されているものである場合、主制御部５０１は、Ｓ４３で、温度データから、所定の温度を減じる。この所定の温度も予め調べてＲＯＭ５０２に保持させておく。なお、制御対象の部材が、下部ユニット３と上部ユニット４のそれぞれに配置されている場合、主制御部５０１は、下部ユニットに対する温度データと、上部ユニットに対する温度データをそれぞれ求め、ＲＡＭ５０６に保存する。なお、電池パック５９０と制御対象の部材の配置位置との関係や、距離等に基づき制御対象の部材毎に補正量を求め、制御対象の部材毎に温度データを算出してＲＡＭ５０６に保存する形態であっても良い。
【００２７】
なお、図２の処理では、消費電力の一番少ない読取設定の組み合わせでの発熱量に基づき暫定的に測定値データを補正して（Ｓ３５）、その後、個別の調整（Ｓ３６〜Ｓ４１）を行った。しかしながら、読取設定の組み合わせ毎の温度上昇値をＲＯＭ５０２に保持させ、一括して測定値データの補正量を決定する形態であっても良い。いずれにしても、画像形成装置の状態の時間を計測して電池パック５９０の温度検出部５９１が検出した温度を補正すべきか否かを判定する。このとき、動作時間が所定の閾値を超えていることを、温度検出部５９１が検出した温度を補正すると決定する条件の１つとする。また、読取処理後の待機時間や停止時間がそれぞれ所定の閾値以下であることを、温度検出部５９１が検出した温度を補正すると決定する条件の１つとする。そして、補正が必要な場合には、読取設定や、制御対象の部材と電池パック５９０の距離等に基づき補正量を決定して温度を補正する。この構成により、制御対象の部材の温度を精度良く推定することでき、温度に基づく制御を精度良く行うことができる。
【００２８】
また、充電中であるか否かにより、補正量を変更することで、さらに、精度良く制御対象の部材の温度を推定することができる。なお、図２のフローチャートでは、充電中である場合には、読取設定に拘らず一律に補正していたが、Ｓ４４の処理後、Ｓ３２に移動し、各状態の時間等によっては、さらに、読取設定に応じた補正を行う構成とすることもできる。
【００２９】
本実施形態では、温度算出処理において、必要に応じて温度検出部５９１の検出温度を補正し、画像読取部１２、１３が照射する光量を変更することで、温度環境が変わっても画像読取部１２、１３の画像読取センサが出力するデータを安定させることできる。さらに、温度算出処理で算出した温度によりＡＦＥ５０５での増幅率とオフセット出力の調整を行うことで、温度環境が変わっても読み取った画像データを安定させることができる。したがって、正確にシェーディング補正を行うことができ、高品質な画像を得ることができる。
【００３０】
また、温度算出処理で算出した温度により、給紙モータ５１９や、搬送モータ５１８のトルクを変更することで、温度により分離パッド９、搬送ローラ１０ａ及び１０ｂ、排紙ローラ１１ａ及び１１ｂの摩擦が変わっても適切に原稿を搬送することができる。さらに、温度算出処理で算出した温度により、超音波発振素子５３１や、位置検出センサ５２１、積載検出センサ５２２が出力する光又は音波を制御することで、温度環境に応じた重送検出や、原稿の検出を行うことができ適切に原稿を搬送することができる。
【００３１】
＜第二実施形態＞
続いて、第二実施形態について、第一実施形態との相違点を中心に説明する。本実施形態では、複数の原稿の読み取りを行っている間にも温度算出処理と、それに応じた制御を行うものである。図３は、本実施形態の処理を説明するフローチャートである。なお、図３のフローチャートは、図１のフローチャートのＳ２０からＳ２２の処理を置き換えるものである。
【００３２】
主制御部５０１は、原稿読取処理の開始により、Ｓ２０で、待機時間の計測を停止し、動作時間の計測を開始すると、Ｓ５０で図２を用いて説明した温度算出処理を行う。主制御部５０１は、Ｓ５１において、Ｓ５０で算出した温度が、前回の制御設定の再調整を行うトリガとなったＳ５０での算出温度から所定値以上変動しているかを監視する。なお、電源投入後、再調整を一度も行っていない場合には、Ｓ１１での算出温度が比較対象となる。主制御部５０１は、算出温度が所定値以上変動していると、Ｓ５２で制御対象の制御設定の再調整を行う。なお、制御内容の具体例は、図１のＳ１８で説明したのと同様である。
【００３３】
一方、所定値以上変動していないと、主制御部５０１は、Ｓ５３で原稿を読み取り、Ｓ５４で、さらに読み取る原稿が有るかを判定する。さらに読み取る原稿が有る場合、主制御部５０１は、Ｓ５０からの処理を繰り返す。一方、Ｓ５４でさらに読み取る原稿が無い場合、主制御部５０１は、Ｓ２２で待機時間の計測を開始し、動作時間の計測を停止する。
【００３４】
以上、本実施形態では、１枚の原稿を読み取る度に温度を算出し、必要に応じて制御を切り替えるので、常に、高品質な画像データを得ることができる。なお、本実施形態では１枚の原稿を読み取る度にＳ５０で温度を算出したが、複数の原稿を読み取る度に温度を算出する構成であっても、所定の時間間隔毎に温度を算出する構成であっても良い。
【００３５】
＜第三実施形態＞
続いて、第三実施形態について、第二実施形態との相違点を中心に説明する。図４は、本実施形態の処理を説明するフローチャートである。なお、図４のフローチャートは、図３のフローチャートのＳ５２の処理を、Ｓ６０〜Ｓ６２の処理に置き換えたものである。したがって、以下では、Ｓ６０〜Ｓ６２の処理について説明し、その他の処理についての説明は省略する。
【００３６】
Ｓ５１で、温度が所定値以上変動している場合、主制御部５０１は、前回の制御設定の変更を行ってからの経過時間が所定時間未満であるかを判定する。所定時間未満ではない場合、主制御部５０１は、Ｓ６１で制御変更を行う。なお、Ｓ６１の処理内容は、図３のＳ５２での処理と同様である。一方、所定時間以上である場合、これは、急激な温度上昇が生じていることを意味するため、主制御部５０１は、Ｓ６２で、Ｓ６１で行う制御設定と比較し、より消費電力を低減させる様に制御設定を行う。
【００３７】
具体的には、画像読取部１２、１３については、発光量を減少させ、ＡＦＥ５０５に対しては、増幅率を増加させる。また、位置検出センサ５２１、積載検出センサ５２２については、光源の光量調整を少なくする。さらに、給紙モータ５１９については、給紙間隔を長くする、または速度を遅くする制御を行う。さらに、搬送モータ５１８については、搬送速度を遅くする制御を行う。
【００３８】
以上、本実施形態では、算出された温度が急激に上昇すると、消費電力を低減させる様に画像読取装置の各部の制御を行う。よって、電池パック５９０内の温度検出部５９１を用いても、温度算出を正確に行うことができ、高品質な画像データを得ることができる。
【００３９】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００４０】
上述した実施形態では、主に画像読取装置を例示して説明したが、本発明はこれに限定されるものではない。例えば、シートに対してインク等の液体を噴射する液体噴射装置（具体的にはインクジェット式記録装置など）において液体を噴射するヘッドに対し、電力供給部からの熱が伝わるような場合においても、本発明を適用することが可能である。すなわち、本発明は、画像読取装置に限定されず、シートに対して所定の処理を施すシート処理部と、シート処理部に対して電力を供給する電力供給部を備えたシート処理装置にも幅広く適用可能である。この際、シート処理装置の制御部は、上記実施形態で述べた様に、シート処理装置の検出部が検出する電力供給部又はその周囲の検出温度に基づいてシート処理部の処理条件を変更する。
【図１】
2015103974.tif 000003
【図２】
2015103974.tif 000004
【図３】
2015103974.tif 000005
【図４】
2015103974.tif 000006
【図５】
2015103974.tif 000007
【図６】
2015103974.tif 000008